(57)【特許請求の範囲】
【請求項１】
眼鏡枠の枠形状データを入力する枠形状データ入力手段と、眼鏡枠に被加工レンズをレイアウトするのに必要なレイアウトデータを入力するレイアウトデータ入力手段と、被加工レンズを挟持して回転させるレンズ回転軸と、粗加工用砥石、仕上げ加工用砥石及び鏡面加工用砥石を持つ砥石回転軸と、を有し、レンズ回転軸からの動径が回転角によって異なり、砥石回転軸とレンズ回転軸を結ぶ直線上にない加工点を含む加工を行う、被加工レンズを眼鏡枠の形状に合うように研削加工するレンズ研削加工装置において、枠形状データ及びレイアウトデータに基づいて得られる仕上げ加工後の加工軌跡から法線方向に微少な均一な鏡面加工代を減じた鏡面加工軌跡を求め、該鏡面加工軌跡上の各位置を加工点とするレンズ回転軸と砥石回転軸の軸間距離を動径角に対応させて演算により求めて、鏡面加工情報を得る演算手段と、該鏡面加工情報に基づいて鏡面加工の動作を制御する制御手段と、を備えたことを特徴とするレンズ研削加工装置。
【請求項２】
眼鏡枠の枠形状データを入力する枠形状データ入力手段と、眼鏡枠に被加工レンズをレイアウトするのに必要なレイアウトデータを入力するレイアウトデータ入力手段と、被加工レンズを挟持して回転させるレンズ回転軸と、粗加工用砥石、仕上げ加工用砥石及び鏡面加工用砥石を持つ砥石回転軸と、を有し、被加工レンズを眼鏡枠の形状に合うように研削加工するレンズ研削加工装置において、枠形状データ及びレイアウトデータに基づいて得られる仕上げ加工後の加工軌跡から法線方向に鏡面加工代を減じた鏡面加工軌跡を求め、仕上げ加工のある加工点ａ点について、鏡面加工用砥石中心とレンズ回転中心を結ぶ軸線と平行であってａ点を通る直線と前記鏡面加工軌跡とが交差する点をｃ点とするとき、仕上げ加工情報のうちで鏡面加工用砥石中心とレンズ回転中心の軸間距離からａ点とｃ点を結ぶ線分の長さを減じた軸間距離をもって仕上げ加工情報を修正し、修正された仕上げ加工情報をもって鏡面加工情報とする演算手段と、該鏡面加工情報に基づいて鏡面加工の動作を制御する制御手段と、を備えたことを特徴とするレンズ研削加工装置。
【発明の詳細な説明】
【０００１】
【発明の属する技術分野】
本発明は、被加工レンズを眼鏡枠の形状に合うように研削加工するレンズ研削加工装置に関する。
【０００２】
【従来の技術】
レンズ研削加工装置の中には、加工後のレンズの端面が光沢を持つように磨きを行う、いわゆる鏡面加工を行えるようにしたものが知られている。
【０００３】
鏡面加工では、例えば、仕上げ加工後の加工代を０．１ｍｍに設定し、砥石回転軸とレンズ回転軸との軸間距離をその加工代分だけ変化するようにし、被加工レンズの端面を鏡面加工砥石に圧接させて全周の加工を行っていた。
【０００４】
【発明が解決しようとする課題】
しかし、上記の方法では、加工点（レンズ端面と砥石が圧接する点）が砥石回転軸とレンズ回転軸を結ぶ直線から遠ざかるに従って研削量が少なくなるという問題があった。
【０００５】
さらに、加工点が砥石回転軸とレンズ回転軸を結ぶ直線上に位置しないときは、レンズをチャッキングして保持する保持部の剛性との関係により生ずるレンズの逃げの影響を受け、同じ加工圧でも研削量が減少してしまう。鏡面加工の加工代の設定によっては、研削できない部分が生じてしまうことがあり、良好な鏡面に仕上がらないという問題があった。
【０００６】
レンズの逃げの影響を加味し、研削できない部分が生じないようにするためには、鏡面加工の加工代の設定を大きくすることが考えられる。しかし、加工代を大きく設定すると、レンズコバが薄い場合にはほぼ加工代分の加工が行われるのに対して、レンズコバが厚い場合には研削量が少なくなりやすい。このため、コバ厚の違いにより鏡面加工後のレンズ形状にバラツキが生じ、眼鏡枠へのフィット感が良好でなくなることがある。このため、鏡面加工の加工代はできるだけ少ない方が好ましい。
【０００７】
本発明は、上記従来技術に鑑み、鏡面加工におけるレンズ端面を良好な鏡面にすることができ、眼鏡枠へのフィット感も良好にできるレンズ研削加工装置を提供することを技術課題とする。
【０００８】
【課題を解決するための手段】
上記課題を解決するために、本発明は次のような構成を有することを特徴としている。
【０００９】
（１）  眼鏡枠の枠形状データを入力する枠形状データ入力手段と、眼鏡枠に被加工レンズをレイアウトするのに必要なレイアウトデータを入力するレイアウトデータ入力手段と、被加工レンズを挟持して回転させるレンズ回転軸と、粗加工用砥石、仕上げ加工用砥石及び鏡面加工用砥石を持つ砥石回転軸と、を有し、レンズ回転軸からの動径が回転角によって異なり、砥石回転軸とレンズ回転軸を結ぶ直線上にない加工点を含む加工を行う、被加工レンズを眼鏡枠の形状に合うように研削加工するレンズ研削加工装置において、枠形状データ及びレイアウトデータに基づいて得られる仕上げ加工後の加工軌跡から法線方向に微少な均一な鏡面加工代を減じた鏡面加工軌跡を求め、該鏡面加工軌跡上の各位置を加工点とするレンズ回転軸と砥石回転軸の軸間距離を動径角に対応させて演算により求めて、鏡面加工情報を得る演算手段と、該鏡面加工情報に基づいて鏡面加工の動作を制御する制御手段と、を備えたことを特徴とする。
【００１０】
（２）  眼鏡枠の枠形状データを入力する枠形状データ入力手段と、眼鏡枠に被加工レンズをレイアウトするのに必要なレイアウトデータを入力するレイアウトデータ入力手段と、被加工レンズを挟持して回転させるレンズ回転軸と、粗加工用砥石、仕上げ加工用砥石及び鏡面加工用砥石を持つ砥石回転軸と、を有し、被加工レンズを眼鏡枠の形状に合うように研削加工するレンズ研削加工装置において、枠形状データ及びレイアウトデータに基づいて得られる仕上げ加工後の加工軌跡から法線方向に鏡面加工代を減じた鏡面加工軌跡を求め、仕上げ加工のある加工点ａ点について、鏡面加工用砥石中心とレンズ回転中心を結ぶ軸線と平行であってａ点を通る直線と前記鏡面加工軌跡とが交差する点をｃ点とするとき、仕上げ加工情報のうちで鏡面加工用砥石中心とレンズ回転中心の軸間距離からａ点とｃ点を結ぶ線分の長さを減じた軸間距離をもって仕上げ加工情報を修正し、修正された仕上げ加工情報をもって鏡面加工情報とする演算手段と、該鏡面加工情報に基づいて鏡面加工の動作を制御する制御手段と、を備えたことを特徴とする。
【００１７】
【実施例】
＜実施例１＞
以下本発明の一実施例を図面に基いて詳細に説明する。図１は本発明に係るレンズ研削加工装置の全体構成を示す斜視図である。１は装置のベースで本装置を構成する各部がその上に配置されている。２は装置上部に内蔵される眼鏡枠形状測定部であり、眼鏡枠形状や型板の３次元形状デ−タを得ることができる。その前方には測定結果や演算結果等を文字またはグラフィックにて表示する表示部３と、データを入力したり装置に指示を行う入力部４が並んでいる。装置前部には被加工レンズの形状（コバ厚）を測定するレンズ形状測定部５がある。
【００１８】
６はレンズ研削部で、ガラスレンズ用の粗砥石６０ａ、プラスティック用の粗砥石６０ｂ、ヤゲン及び平加工用の仕上げ砥石６０ｃ、ヤゲン鏡面及び平鏡面加工用の鏡面砥石６０ｄとから成る砥石群６０が、ベース１に固定されたスピンドルユニット６１の回転軸６１ａに回転可能に取付けられている。６５は砥石回転用のＡＣモータであり、回転軸６１ａに取り付けられたプーリ６３、ベルト６４、プーリ６６を介してその回転が砥石群６０に伝達される。７はキャリッジ部で、７００はキャリッジである。
【００１９】
＜主要な各部の構成＞
次に、装置の主要な各部の構成を説明する。
【００２０】
（イ）キャリッジ部
図１〜図３に基いてその構造を説明する。図２はキャリッジの断面図、図３はキャリッジの駆動機構を示す矢視Ａ図である。
【００２１】
ベース１に固定されたシャフト７０１にはキャリッジシャフト７０２が回転摺動自在に軸支されており、さらにそれにキャリッジ７００が回動自在に軸支されている。キャリッジ７００にはシャフト７０１と平行にレンズ回転軸７０４ａ、７０４ｂが同軸かつ回転可能に軸支されている。レンズ回転軸７０４ｂはラック７０５に回転自在に軸支され、ラック７０５はモータ７０６の回転軸に固定されたピニオン７０７により軸方向に移動することができ、これによりレンズ回転軸７０４ｂは軸方向に移動されて開閉動作を行い、レンズＬＥを回転軸７０４ａ、７０４ｂで挟持しうる。
【００２２】
キャリッジ７００の左端には駆動板７１６が固定されており、駆動板７１６には回転軸７１７がシャフト７０１と平行かつ回転自在に取付けられている。また駆動板７１６にはブロック７２２によりパルスモータ７２１が固定されており、パルスモータ７２１の回転は、回転軸７１７の右端に取り付けられたギヤ７２０、回転軸７１７の左端に取り付けられたプーリ７１８、タイミングベルト７１９、プーリ７０３ａを介してシャフト７０２に伝達される。さらに、シャフト７０２の回転は、タイミングベルト７０９ａ、７０９ｂ等を介してレンズ回転軸７０４ａ、７０４ｂに伝達され、これによりレンズ回転軸７０４ａ、７０４ｂは同期して回転する。
【００２３】
中間板７１０にはラック７１３が固定さており、キャリッジ移動用モータ７１４の回転軸に取付けられピニオン７１５と噛み合うピニオン７１５の回転により、キャリッジ７００がシャフト７０１の軸方向に移動する。
【００２４】
キャリッジ７００はパルスモータ７２８により回旋する。パルスモータ７２８はブロック７２２に固定されており、パルスモータ７２８の回転軸７２９に固定されたピニオン７３０が丸ラック７２５と噛み合っている。丸ラック７２５は、回転軸７１７と中間板７１０に固定されたシャフト７２３との軸間を結ぶ最短の線分に平行に位置するとともに、シャフト７２３に回転自在に固定された補正ブロツク７２４とブロック７２２との間である程度の自由度をもって摺動可能に保持されている。丸ラック７２５にはストッパ７２６が固定されており、補正ブロック７２４の当接位置より下方にしか摺動できないようになっている。これにより、パルスモータ７２８の回転に応じて回転軸７１７とシャフト７２３の軸間距離ｒ´を制御することができ、このｒ´と直線的相関関係をもつレンズ回転軸７０４ａ，７０４ｂと砥石の回転軸６１ａとの軸間距離ｒを制御することができる。
【００２５】
なお、このキャリッジ部の構成は、本出願人による特開平5-212661号等のものと基本的に同様であるので、詳細はこれを参照されたい。
【００２６】
（ロ）眼鏡枠形状測定部
図４は眼鏡枠形状測定部２が持つ形状測定部２ａの斜視図である。形状測定部２ａは、水平方向に移動可能な可動ベース２１と、可動ベース２１に回転可能に軸支されパルスモータ３０により回転される回転ベース２２と、回転ベース２２に垂設された保持板３５ａ，３５ｂに支持される２本のレール３６ａ，３６ｂ上を移動可能な移動ブロック３７と、移動ブロック３７に挿通されて回転自在にかつ上下動可能な測定子軸２３と、測定子軸２３の上端に取り付けられその先端が測定子軸２３上の軸心上にある測定子２４と、測定子軸２３の下端に回転自在に取り付けられるとともに移動ブロック３７から垂直に伸びるピン４２に固定されたアーム４１と、アーム４１の先端に取り付けられ、垂直なスリット２６及び４５度の傾斜角度を持つスリット２７が形成された遮光板２５と、遮光板２５を挟むように回転ベース２２に取り付けられた一対の発光ダイオード２８及びリニアイメージセンサ２９と、回転ベース２２に回転自在に軸支されたドラム４４に取り付けられ、移動ブロック３７を常時測定子２４の先端側へ引っ張る定トルクバネ４３と、を備える。
【００２７】
また、移動ブロック３７には型板測定のときに使用する測定ピン５０を挿入する取り付け穴５１が設けられている。
【００２８】
このよな構成の形状測定部２ａにより、眼鏡枠形状は次のようにして測定する。まず、眼鏡枠を図示なき眼鏡保持部（特開平5-212661号等を参照）に固定し、測定子２４の先端を眼鏡枠の内溝に当接させる。続いて、パルスモータ３０を予め定めた単位回転パルス数ごとに回転させる。このとき測定子２４と一体の測定子軸２３は眼鏡枠の動径にしたがってレール３６ａ，３６ｂを移動し、また眼鏡枠のカーブにしたがって上下する。これらの動きにしたがって、遮光板２５は発光ダイオード２８とリニアイメージセンサ２９との間を上下左右に移動し、発光ダイオード２８からの光を遮光する。遮光板２５に形成されたスリット２６、２７を通過した光がリニアイメージセンサ２９の受光部に達し、その移動量が読み取られる。移動量は、スリット２６の位置を動径ｒとして読み取り、スリット２６とスリット２７の位置の差を眼鏡枠の高さ情報ｚとして読み取る。このようにしてＮ点計測することにより、眼鏡枠形状が（ｒn ，θn ，ｚn ）（n ＝１，２，…，Ｎ）として計測される。なお、この眼鏡枠形状測定部は、本出願人と同一の出願である特開平4-105864号公報に記載したものと基本的に同様であるので、これを参照されたい。
【００２９】
また、型板を測定する場合は、型板を型板保持部（特開平5-212661号等を参照）に固定するとともに、測定ピン５０を取り付け穴５１に取り付ける。眼鏡枠形状のときと同様に、型板の動径にしたがって測定ピン５０がレール３６ａ，３６ｂを移動するので、リニアイメージセンサ２９が検出するスリット２６の位置が動径情報として計測される。
【００３０】
（ハ）レンズ形状測定部
図５はレンズ形状測定部５の断面図、図６はその平面図である。レンズ形状測定部５は、２つのフィーラー５２３、５２４を持つ測定ア−ム５２７、測定ア−ム５２７を回転するＤＣモ−タ５０３、プーリ５１３、ベルト５１４、プーリ５０７、軸５０１、プーリー５０８等の回転機構、測定ア−ム５２７の回転を検出してＤＣモ−タ５０３の回転を制御するセンサ−板５１０とホトスイッチ５０４，５０５、測定ア−ム５２７の回転量を検出してレンズ前面及び後面の形状を得るためのポテンショメ−タ５０６等からなる検出機構等から構成される。このレンズ形状測定部５の構成は本願発明と同一出願人による特開平３−２０６０３号等と基本的に同様であるので、詳細はこれを参照されたい。
【００３１】
レンズ形状（コバ厚）の測定は、フィーラー５２３をレンズ前面の屈折面に当接させながら被加工レンズを回転させることにより、プーリー５０８の回転量をポテンショメ−タ５０６が検出してレンズ前面屈折面の形状を得た後、次にフィーラー５２４をレンズ後面の屈折面に当接させて同様にその形状を得る。
【００３２】
（ニ）表示部及び入力部
図７は表示部３及び入力部４の外観図である。表示部３は液晶ディスプレイにより構成されており、パラメータ設定画面、レイアウト情報を入力できるレイアウト画面、玉型形状に対するヤゲン位置やヤゲン断面状態をシュミレーションする画面等を後述する主演算制御回路の制御により表示する。
【００３３】
入力部４には、被加工レンズの材質を指示するスイッチ４０２、フレームの材質（メタル、セル）を指示するスイッチ４０３、加工モード（ヤゲン加工、ヤゲン鏡面加工、平加工、平鏡面加工等）を選択するモードスイッチ４０４、被加工レンズの左右を選択するＲ／Ｌスイッチ４０５、表示部３に表示する画面（レイアウト画面、メニュー画面、パラメータ設定画面）を切換えるスイッチ４０７、表示部３に表示されるカーソルや矢印を移動して入力項目を選択する移動スイッチ４０８、データの数値入力等に「＋」スイッチ４０９ａ及び「−」スイッチ４０９ｂ、レイアウトデータの入力方式の変更等に使用するスイッチ４１０、加工の開始及び停止を行うスタート・ストップスイッチ４１１、レンズチャック開閉用のスイッチ４１３、レンズ枠又は型板のトレースを指示するトレーススイッチ４１６、トレースしたデータを転送する次データスイッチ４１７等がある。
【００３４】
（ホ）装置の電気制御系
図８は装置の電気制御系ブロック図の要部を示す図である。主演算制御回路１００は例えばマイクロプロセッサで構成され、その制御は主プログラムメモリ１０１に記憶されているシーケンスプログラムで制御される。主演算制御回路１００はシリアル通信ポート１０２を介して、ＩＣカード、検眼システム装置等とデータの交換を行うことが可能である。また、眼鏡枠形状測定部２のトレーサ演算制御回路２００とデータ交換・通信を行う。眼鏡枠形状デ−タはデ−タメモリ１０３に記憶される。
【００３５】
主演算制御回路１００には表示部３、入力部４、音声再生装置１０４、レンズ形状測定部５が接続されている。主演算制御回路１００で演算処理されたレンズの計測データ等はデータメモリ１０３に記憶される。キャリッジ移動モータ７１４、パルスモータ７２８、７２１はパルスモータドライバ１１０、パルス発生器１１１を介して主演算制御回路１００に接続されている。パルス発生器１１は主演算制御回路１００からの指令を受けて、それぞれのパルスモータへ何Ｈｚの周期で何パルス出力するかにより各モータの動作をコントロールする。
【００３６】
以上のような構成を持つ装置の動作を説明する。まず、眼鏡枠（または型板）を眼鏡枠形状測定部２にセットし、トレーススイッチ４１６を押してトレースする。形状測定部２ａにより得られた眼鏡枠データはトレースデータメモリ２０２に記憶され、次データスイッチ４１７を押すことにより装置本体に転送入力されてデータメモリ１０３に記憶される。同時に表示部３の画面上には眼鏡枠データに基づく枠形状図形が表示され、加工条件を入力できる状態になる。
【００３７】
次に、加工者は、表示部３に表示される画面を見ながら入力部４により装用者のＰＤ値、ＦＰＤ値、光学中心の高さ等のレイアウトデータを入力する。装置は眼鏡枠データ及びレイアウトデ−タに基づき、新たな動径情報（ｒs δn ，ｒs θn ）を得、これをデ−タメモリ１０３に記憶する。
【００３８】
続いて、加工者は加工するレンズの材質、フレームの材質、被加工レンズが左眼用か右眼用かを入力する。また、加工モ−ドをモードスイッチ４０４により選択する。以下、プラスティックレンズを平鏡面加工する場合を例にとって説明する。
【００３９】
加工条件の入力後、被加工レンズに所定の処理（吸着カップの軸打ち等）を施し、レンズ回転軸７０４ａ、７０４ｂにより被加工レンズをチャッキングする。その後、スタート・ストップスイッチ４１１を押して装置を作動させる。
【００４０】
装置は、スタート信号の入力により、被加工レンズを動径情報（ｒs δn ，ｒs θn ）の形状に加工するための加工補正（砥石径補正）の演算処理（特開平５−２１２６６１号等参照）を行う。その後、被加工レンズがプラスティック用の粗砥石６０ｂにくるようにキャリッジ７００を移動させ、得られた加工補正情報に基づいて粗加工を行う。
【００４１】
粗加工が終了したら仕上げ加工に移る。被加工レンズを仕上げ砥石６０ｃの平坦部の上に移動させ、その外周を加工補正情報に基づいてさらに仕上げ加工する。これによりレンズは動径情報（ｒs δn ，ｒs θn ）の形状に加工される。
【００４２】
続いて鏡面加工に移る。鏡面加工にあたり、装置は鏡面加工のための加工補正計算を行い、被加工レンズを鏡面砥石６０ｄの平坦部の上に移動させ、その外周を鏡面加工補正情報に基づき各モータを駆動制御して鏡面加工を行う。
【００４３】
鏡面加工用の加工補正について説明する。いま、図９のように、実線９０で示す形状に仕上げ加工されたレンズの端面を、加工代δＰ分で鏡面加工により研削し、点線９１で示す形状にするものとする。なお、鏡面加工での加工代は一般にかなり少ないが、図では説明の便宜上、誇張して図示している。
【００４４】
鏡面砥石６０ｄの半径をＲ、レンズ回転軸と砥石回転軸の軸間距離をＰＬとし、仕上げ加工後に予定される形状の動径情報（ｒs δn ，ｒs θn ）に対して、加工代δＰ分とさらにある補正量δＱ分だけ小さい半径（Ｒ−δＰ−δＱ）で、粗加工及び仕上げ加工のときと同様な加工補正の計算を行う。すなわち、まず、データメモリから動径情報（ｒs δn ，ｒs θn ）を読取り、次の計算を行う。
【００４５】
【数１】
0004034868.tif 000002
次に、動径情報（ｒs δn ，ｒs θn ）を微小な任意の角度だけ加工中心を中心に回転させ、上式と同一の計算を行う。この座標の回転角をξi （ｉ＝１，２，３，……，Ｎ）とし、ξ1 からξN まで順次３６０°回転させる。それぞれの回転角ξi でのＰＬの最大値ＰＬmax i を求める。続いて、このＰＬmax i に対して軸間距離方向の離れる方向に補正量δＱ分のオフセットを戻すことにより、鏡面加工補正情報（ＰＬmax i ＋δＱ，ξi ）（ｉ＝１，２，３，……，Ｎ）を得る。
【００４６】
ここで、被加工レンズを基準にして鏡面砥石が相対的に移動するものとし、そのときの砥石中心の軌跡を考えてみると、加工代δＰ分とさらにある補正量δＱ分だけ小さい半径（Ｒ−δＰ−δＱ）での軌跡は、図９上の軌跡線９２のようになる。この軌跡線に対して補正量δＱ分のオフセットを戻したきの軌跡は、軌跡線９３のようになる。この軌跡線９３の軌跡に従って、すなわち、鏡面加工補正情報（ＰＬmax i ＋δｒ，ξi ）（ｉ＝１，２，３，……，Ｎ）に従って、半径Ｒの鏡面砥石６０ｃで鏡面加工を行うと、動径情報（ｒs δn ，ｒs θn ）の形状のレンズの端面は、幾何学的には線９４で示すように、加工点が砥石回転軸とレンズ回転軸を結ぶ直線上にあるときは加工代δＰ分を確保するように形成され、加工点がその直線から遠ざかるに従って加工代δＰより加工量が大きくなるように形成される。
【００４７】
実際の加工では、被加工レンズをチャッキングして保持する保持部の剛性の関係で、被加工レンズの逃げの影響を受けるようになる。このため、補正量δＱのオフセット分は加工時のレンズの逃げの影響をキャンセルする方向に働くことになり、加工代δＰ分でほぼ一様な鏡面加工が行える。
【００４８】
この結果、加工代δＰを、例えば、０．０５ｍｍのように極めて少ない量に設定してコバ厚が厚いレンズを加工しても、削り残しがなく鏡面加工が行える。また、加工代を極めて少ない量に設定できるので、コバ厚の違いによる加工後の形状のバラツキも少なくなる。なお、前記した補正量δＱの値は、加工時のレンズ逃げの影響分の補正量として最適になるように実験的に定めると良い。
【００４９】
以上、平鏡面加工を例にとって説明したが、ヤゲン鏡面加工の場合も、仕上げ砥石６０ｃによるヤゲン加工後のレンズ形状に対して、前述と同様な鏡面加工補正の演算を行う。鏡面加工時には、鏡面砥石６０ｄのヤゲン溝にレンズを位置させ、ヤゲン加工情報と鏡面加工補正情報とに基づいて各モータを制御する。なお、ヤゲン加工では、レンズ形状測定部５を作動させてレンズ形状測定を行った後、得られたレンズ形状データ（コバ位置）に基づいてヤゲン頂点位置を求めるヤゲン計算を行ってヤゲン加工情報を得る。ヤゲン頂点位置の計算は、レンズコバ厚をある比率で定める方法や、ヤゲン頂点位置をレンズ前面のコバ位置より一定量後面側にずらし、前面カ−ブと同一のヤゲンカ−ブを立てるようにする等各種の方法で行うことができる。ヤゲン加工の点については、特開平５−２１２６６１号等の方法等を参照されたい。
【００５０】
また、前述したように加工代を極めて少なく設定できるので、レンズ形状の変曲点部分（加工点が砥石回転軸とレンズ回転軸を結ぶ直線上に位置する部分）は、コバ厚の違いによる鏡面加工後の形状のバラツキが特に抑えられる。従って、ヤゲン鏡面加工においては眼鏡枠へのフィット感が良好になる。
【００５１】
以上説明した鏡面加工用の補正では、鏡面砥石による加工軌跡を補正するようにしたが、鏡面加工前の仕上げ砥石による加工軌跡を補正し、加工点が砥石回転軸とレンズ回転軸を結ぶ直線から離れるに従って鏡面加工での加工代が増大するようにしても良い。この場合の加工補正について説明する。
【００５２】
まず、仕上げ砥石で加工するときの加工補正を、仕上げ砥石６０ｃの半径Ｒ´よりある補正量δＱ´分だけ大きい半径（Ｒ´＋δＱ´）で行う。前述の加工補正の計算と同様に、レンズ回転軸と砥石回転軸の軸間距離Ｌ´を求める計算を行う。動径情報（ｒs δn ，ｒs θn ）に対応させ、微小な任意の回転角ξi （ｉ＝１，２，３，……，Ｎ）ごとに全周に亘ってＬ´を算出し、それぞれのξi での最大値Ｌ´max i を求める。この最大値Ｌ´max i から補正量δＱ´のオフセット分を戻すことにより、仕上げの加工補正情報（Ｌ´max i −δＱ´，ξi ）（ｉ＝１，２，３，……，Ｎ）を得る。この加工補正情報に基づいて、半径Ｒ´の仕上げ砥石６０ｃで仕上げ加工を行うと、鏡面加工前のレンズは動径情報（ｒs δn ，ｒs θn ）の形状に対し、加工点が砥石回転軸とレンズ回転軸を結ぶ直線から離れるに従って大きくなるように加工される。
【００５３】
次に、鏡面加工時には、鏡面加工砥石６０ｄの半径Ｒより鏡面仕上げの加工代δＰ分だけ小さい半径（Ｒ−δＰ）で鏡面加工補正を行う。この鏡面加工補正情報では、動径情報（ｒs δn ，ｒs θn ）に対して加工代δＰ分小さい形状に形成される。実際の加工では、レンズの逃げの影響を受けるので、仕上げ加工後の形状に対して、加工代δＰ分でほぼ一様な鏡面加工が行えることになる。なお、この場合レンズの逃げ量はレンズの加工形状と保持部の剛性等の関係により定まるが、現実的には補正量δＱ´は実験的に定めると良い。
【００５４】
以上、実施例では被加工レンズを挟持するレンズ回転軸を持つキャリッジ機構の装置を説明したが、本出願人による特願平８−９７４４４号に記載したように、複数の砥石回転軸にそれぞれ砥石を持ち、各砥石回転軸をレンズ回転軸に移動させる機構の装置においても、同様に本発明を適用できる。
【００５５】
＜実施例２＞
先の実施例では、レンズ保持軸の機械剛性の関係で、加工時における被加工レンズの逃げの影響を考慮して加工軌跡を求めたが、レンズ保持軸の剛性の高い装置（例えば、特願平８−９７４４４号に記載したような装置）の場合には、鏡面加工代が略均一になる加工軌跡を求め、これに従って鏡面加工を行うようにしても良い。
【００５６】
この加工軌跡を求める方法を図１０により説明する。先の実施例と同様に、実線９０で示す形状に仕上加工されたレンズの端面を、加工代δＰ分で鏡面加工砥石により研削し、点線９１で示す形状にするものとする。図１０において、レンズ回転中心と砥石回転中心を結ぶ線を軸線Ｌ1 、仕上げ加工端面のａ点における玉型軌跡の法線方向（すなわちａ点と砥石回転中心を結ぶ線）を法線Ｌ2 、この法線と軸線Ｌ1 がなす角度をτとする。このときの砥石回転中心の位置及びａ点の位置は、仕上加工用の軌跡から求められので、角度τは既知となる。
【００５７】
ここで、ａ点から軸線Ｌ1と平行になる線Ｌ3 を考える。図１０において点線９１と法線Ｌ2との交点をｂ点、点線９１と線Ｌ3との交点をｃ点とし、これによりできる△ａｂｃの線分ａｃ（＝δＰ）と線分ｂｃの成す角度を近似的に直角とすると、線分ａｃの距離はδＰ／cosτで得られる。この線分ａｃの距離分（＝δＰ／cosτ）を仕上げ加工軌跡における軸間距離Ｌから減じることにより、点線９１上のｂ点を加工するための軸間距離が求められる。これを動径角に対応させてすべての場所で計算することにより、点線９１で示す形状のように、鏡面加工代を略均一とするための鏡面用の加工軌跡が簡単に得られる。
【００５８】
なお、仕上げ砥石による加工軌跡の加工情報は、先の実施例と同様、特開平５−２１２６６１号等に記載されたように、
【数２】
0004034868.tif 000003
によりレンズ回転軸と砥石回転軸の軸間距離Ｌを求める計算を行い、動径情報に対応させて微小な任意の回転角ξi （ｉ＝１，２，３，……，Ｎ）ごとに全周に亘ってＬを算出し、それぞれのξi での最大値Ｌmax i を求めることにより、（Ｌmax i，ξi ）で得られる。よって、微小な任意の回転角ξi ごとに決まる角度τをτi とすれば、鏡面加工軌跡の加工情報は（Ｌmax i −δＰ／cosτi ，ξi ）（ｉ＝１，２，３，……，Ｎ）で求められる。
このように鏡面加工代が略均一になる加工軌跡が簡単な演算で求められるので、計算時間が短くてすみ、全体の加工時間も短縮できる。
【００５９】
【発明の効果】
以上説明したように、本発明によれば、鏡面加工におけるレンズ端面を良好な面にすることができる。また、鏡面加工後の形状をレンズコバ厚の違いに拘らず安定させることができるので、眼鏡枠へのフィット感が良好になる。
【図面の簡単な説明】
【図１】本発明に係るレンズ研削加工装置の全体構成を示す斜視図である。
【図２】キャリッジの構成を説明する断面図である。
【図３】キャリッジの駆動機構を示す図１の矢視Ａ図である。
【図４】眼鏡枠形状測定部が持つ形状測定部の斜視図である。
【図５】レンズ形状測定部の構成を説明する断面図である。
【図６】レンズ形状測定部の構成を説明する平面図である。
【図７】表示部及び入力部の外観図である。
【図８】装置の電気制御系ブロック図の要部を示す図である。
【図９】鏡面加工の加工補正の方法を説明する図である。
【図１０】実施例２による鏡面加工軌跡を求める方法を説明する図である。
【符号の説明】
２  眼鏡枠形状測定部
４  入力部
５  レンズ形状測定部
６０ｃ  仕上げ砥石
６０ｄ  鏡面砥石
６１ａ  回転軸
１００  主演算制御回路
７０４ａ，７０４ｂ  レンズ回転軸
【図１】
0004034868.tif 000004
【図２】
0004034868.tif 000005
【図３】
0004034868.tif 000006
【図４】
0004034868.tif 000007
【図５】
0004034868.tif 000008
【図６】
0004034868.tif 000009
【図７】
0004034868.tif 000010
【図８】
0004034868.tif 000011
【図９】
0004034868.tif 000012
【図１０】
0004034868.tif 000013